(57)【要約】【課題】蓄熱作用を有しかつマッサージ器具を兼ねる塗布体を備えた塗布容器を提供する。【解決手段】開口部を有する容器体２と、前記開口部に取り付けられた塗布具１０とを具備する。この塗布具１０は、マッサージ具を兼ねる塗布体４０を含んでおり、この塗布体４０は、金属・セラミックその他の蓄熱素材で形成されている。また前記塗布具１０は、開口部付近より上方へ突出する保持筒２６を有し、この保持筒２６内に前記塗布体４０を上方への抜け出し及び内方への抜け落ちが不可能に保持しており、前記保持筒２６の先端から上方へ膨出された塗布体４０の頂部４４にマッサージ面を兼ねる塗布面Ａが形成されている。さらに塗布体４０と保持筒２６の間の隙間Ｇを介して開口部９から塗布面Ａへ内容物が供給されるように形成されている。【選択図】図１
2020032128.tif 000002
【特許請求の範囲】
【請求項１】
開口部を有する容器体(２)と、
前記開口部に取り付けられた塗布具(１０)と
を具備し、
この塗布具(１０)は、マッサージ具を兼ねる塗布体(４０)を含んでおり、
この塗布体(４０)は、金属・セラミックその他の蓄熱素材で形成されている塗布容器において、
前記塗布具(１０)は、開口部付近より上方へ突出する保持筒(２６)を有し、この保持筒(２６)内に前記塗布体(４０)を上方への抜け出し及び内方への抜け落ちが不可能に保持しており、
前記保持筒(２６)の先端から上方へ膨出された塗布体(４０)の凸状の頂部(４４)にマッサージ面を兼ねる塗布面(Ａ)が形成されており、
塗布体(４０)と保持筒(２６)の間の隙間(Ｇ)を介して開口部(９)から塗布面(Ａ)へ内容物が供給されるように形成されていることを特徴とする、塗布容器。
【請求項２】
前記容器体(２)は、圧搾可能なスクイズ式容器体としており、
前記保持筒(２６)の内面に、前記隙間(Ｇ)の一部である複数の縦溝(３０)が形成され、
前記容器体(２)の圧搾により、それら縦溝(３０)を介して容器体(２)内の内容物が開口部(９)から塗布面(Ａ)側へ供給されるように構成したことを特徴とする請求項１に記載の塗布容器。
【請求項３】
前記保持筒(２６)の下端側から、塗布体(４０)載置用のリング状の係止板部(１６)を内向きフランジ状に内方突出しており、
係止板部(１６)へ載置された塗布体(４０)により係止板部(１６)のリング孔(１８)が閉塞されるように設けるとともに、
前記保持筒(２６)の上端部に小内径部(２８)が形成され、この小内径部(２８)の内側に前記縦溝(３０)が形成されており、
前記小内径部(２８)と係止板部(１６)との間で塗布体(４０)が保持筒(２６)内を昇降可能に形成したことを特徴とする、請求項１又は請求項２に記載の塗布容器。
【請求項４】
前記塗布体(４０)の底部の下面は平坦底面(Ｓ)に形成されており、
塗布体(４０)の頂部(４４)を被塗布面(Ｔ)に押し付けた状態で、前記平坦底面(Ｓ)が前記係止板部(１６)の上面に当接されることにより、塗布体(４０)が転動不能に係止板部(１６)上に着座され、前記リング孔(１８)が閉塞されるように構成したことを特徴とする、請求項３に記載の塗布容器。
【請求項５】
前記塗布具(１０)の外側に着脱自在に嵌合させたキャップ(５０)を具備し、
このキャップ(５０)の一部に塗布体(４０)押下げ用の押圧部(５６)を設け、
前記キャップ(５０)の嵌合状態で、前記押圧部(５６)が塗布体(４０)を係止板部(１６)へ押し付け、前記リング孔(１８)を閉塞するように形成したことを特徴とする、請求項３又は請求項４に記載の塗布容器。
【発明の詳細な説明】
【技術分野】
【０００１】
本発明は、塗布容器、特に利用者の身体に接したときに心地よい冷気や温かみを与えることができる蓄熱式の塗布体を含む塗布容器に関する。
【背景技術】
【０００２】
利用者の身体に化粧品或いは医薬製品を塗布する際には、この塗布を、被術者の身体を冷やし、又は温めながら行うと、化粧料を塗る場合には、より心地よさが増し、或いは加療による苦痛を和らげることが知られている。
近年、利用者が塗布容器を用いて自らに薬剤を塗布する場合にも、冷やしながら又は温めながらの塗布を可能としたいというニーズがある。
こうした要請に応えるため、開口部を有する容器体と、当該開口部に取り付けれ、金属又はセラミックスである蓄熱材料で形成された蓄熱チップとからなり、この蓄熱チップを貫通させて容器体の内部から蓄熱チップの外面である塗布面の中央部へ開通する通路を設けたものが知られている（特許文献１）。
【先行技術文献】
【特許文献】
【０００３】
【特許文献１】特許第５４６３３３７号
【発明の概要】
【発明が解決しようとする課題】
【０００４】
化粧品等を塗布する際に身体を冷やし、又は温めるという処置は、塗布体を用いて身体をマッサージするという作業と組み合わせて行うと、一層快適である。
しかしながら、特許文献１の塗布容器では、塗布体である金属製又はセラミック製の蓄熱チップを貫通させて、塗布面である蓄熱チップの外面に開口する通路を設けており、蓄熱チップの加工に高い技術を必要とする。
例えば、穿孔作業の結果として、外面側の通路の出口に凹凸ができたりすると、当該外面をマッサージ面として身体に押し付けたときに、皮膚を傷つけてしまう危険性があり、そうしたことのないように精度の高い加工処理が要求される。
【０００５】
本発明の第１の目的は、蓄熱作用を有しかつマッサージ器具を兼ねる塗布体を備えた塗布容器を提供することである。
本発明の第２の目的は、前述の塗布容器であって容易に製造できるものを提供することである。
【課題を解決するための手段】
【０００６】
第１の手段は、開口部を有する容器体２と、
前記開口部に取り付けられた塗布具１０と
を具備し、
この塗布具１０は、マッサージ具を兼ねる塗布体４０を含んでおり、
この塗布体４０は、金属・セラミックその他の蓄熱素材で形成されている塗布容器において、
前記塗布具１０は、開口部付近より上方へ突出する保持筒２６を有し、この保持筒２６内に前記塗布体４０を上方への抜け出し及び内方への抜け落ちが不可能に保持しており、
前記保持筒２６の先端から上方へ膨出された塗布体４０の凸状の頂部４４にマッサージ面を兼ねる塗布面Ａが形成されており、
塗布体４０と保持筒２６の間の隙間Ｇを介して開口部９から塗布面Ａへ内容物が供給されるように形成されている。
【０００７】
本手段は、金属・セラミックその他の蓄熱素材で形成された塗布体４０を含む塗布具１０を備えた塗布容器において、塗布体４０がマッサージ器具を兼ねるものを提案する。蓄熱材料は、金属やセラミックスなどの公知の材料であり、後で説明する。
前記塗布具１０は、塗布体４０を保持する保持筒２６を有し、これら塗布体４０と保持筒２６との間の隙間Ｇから内容物を供給するから、従来技術の如く、金属又はセラミックス製の塗布体（蓄熱チップ）に内容物の通路を穿設することを要せず、高度な加工技術を必要としない。従って適当な給液性能を有する塗布具を容易に製造できる。
【０００８】
第２の手段は、第１の手段を有し、かつ
前記容器体２は、圧搾可能なスクイズ式容器体としており、
前記保持筒２６の内面に、前記隙間Ｇの一部である複数の縦溝３０が形成され、
前記容器体２の圧搾により、それら縦溝３０を介して容器体２内の内容物が開口部９から塗布面Ａ側へ供給されるように構成した。
【０００９】
本手段では、図２及び図３に示す如く、保持筒２６の内面に、前記隙間Ｇの一部である複数の縦溝３０が形成されている。従ってこれら縦溝３０を介して内容物を確実に供給できる。
【００１０】
第３の手段は、第１の手段又は第２の手段を有し、かつ
前記保持筒２６の下端側から、塗布体４０載置用のリング状の係止板部１６を内向きフランジ状に内方突出しており、
係止板部１６へ載置された塗布体４０により係止板部１６のリング孔１８が閉塞されるように設けるとともに、
前記保持筒２６の上端部に小内径部２８が形成され、この小内径部２８の内側に前記縦溝３０が形成されており、
前記小内径部２８と係止板部１６との間で塗布体４０が保持筒２６内を昇降可能に形成した。
【００１１】
本手段では、図３に実線及び２点鎖線で示す如く、保持筒２６の下端側にリング状の係止板部１６を設け、この係止板部１６と前記保持筒２６の上端側の小内径部２８との間で塗布体４０が昇降可能に形成している。例えば塗布作業を中断して塗布体４０との接触による冷感（温感）をしばらく味わいたいときには、塗布体４０の頂部４４を皮膚に押し付けるとよい。このときに、これにより塗布体４０の平坦底面Ｓが着座してリング孔１８が閉塞され、余剰の液体が供給されるという不都合を生じないから都合がよい。
【００１２】
第４の手段は、第３の手段を有し、かつ
前記塗布体４０の底部の下面は平坦底面Ｓに形成されており、塗布体４０の頂部４４を被塗布面Ｔに押し付けた状態で、前記平坦底面Ｓが前記係止板部１６の上面に当接されることにより、塗布体４０が転動不能に係止板部１６上に着座され、前記リング孔１８が閉塞されるように構成した。
【００１３】
本手段では、図６に示す如く、塗布体４０の頂部４４を被塗布面Ｔに押し付けた状態で、塗布体４０の平坦底面Ｓが前記係止板部１６の上面に当接されることにより、塗布体４０が転動不能に係止板部１６上に着座されるように設けている。
これにより、塗布体４０の頂部４４を被塗布面Ｔである皮膚に押し付けた状態で塗布体４０を滑らせても塗布体４０が転動することがなく、皮膚等に挟むことがない。従って、例えば指圧師がその指を身体に押し付けて強く擦るときと同じような十分な刺激が得られる。
【００１４】
第５の手段は、第３の手段又は第４の手段を有し、かつ
前記塗布具１０の外側に着脱自在に嵌合させたキャップ５０を具備し、
このキャップ５０の一部に塗布体４０押下げ用の押圧部５６を設け、
前記キャップ５０の嵌合状態で、前記押圧部５６が塗布体４０を係止板部１６へ押し付け、前記リング孔１８を閉塞するように形成した。
【００１５】
本手段では、図１に示す如く、キャップ５０の嵌合状態で、前記押圧部５６が塗布体４０を係止板部１６へ押し付け、前記リング孔１８を閉塞するように形成している。これにより、容器の不使用状態或いは商品の流通過程で液漏れを生ずることを防止できる。
【発明の効果】
【００１６】
第１の手段に係る発明によれば、塗布体４０は、マッサージ面兼用の塗布面Ａを形成した凸状の頂部４４を有し、この塗布体４０を蓄熱素材で形成したから、塗布体４０を皮膚に接触させたときに快い冷感又は温感を生じ、より快適なマッサージを可能とする。また当該塗布体４０を保持筒２６内に保持させ、塗布体４０と保持筒２６との間の隙間Ｇから内容物を供給するから、当該塗布具を容易に製造できる。
第２の手段に係る発明によれば、保持筒２６の内面に、前記隙間Ｇの一部である複数の縦溝３０が形成されているから、内容物を確実に供給できる。
第３の手段に係る発明によれば、保持筒２６の下端側にリング状の係止板部１６を設け、係止板部１６と保持筒の上端の小内径部２８との間を塗布体４０が昇降可能としたから、塗布体４０の頂部４４を皮膚に押し付けることにより、塗布体４０の平坦底面Ｓがリング孔１８を閉塞し、余剰の液体が供給されることを回避できる。
第４の手段に係る発明によれば、塗布体４０の頂部４４を被塗布面Ｔに押し付けた状態で、塗布体４０の平坦底面Ｓが前記係止板部１６の上面に当接されることにより、塗布体４０が転動不能に係止板部１６上に着座されるから、塗布体４０の頂部４４を皮膚に擦り付けても、塗布体４０が転動することがなく、心地よい刺激が得られる。
第５の手段に係る発明によれば、キャップ５０の嵌合状態で、前記押圧部５６が塗布体４０を係止板部１６へ押し付け、前記リング孔１８を閉塞するように形成したから、キャップ５０の嵌合状態での液漏れを生ずることを防止できる。
【図面の簡単な説明】
【００１７】
【図１】本発明の第１実施形態に係る塗布容器の縦断面図である。
【図２】図１の塗布容器のII-II方向の横断面図である。
【図３】前記容器を図２のIII-III方向に見た拡大断面図である。
【図４】図１の塗布容器の胴部を圧搾して内容物を注出する段階を示す使用状態の説明図である。
【図５】図４の状態を拡大して示す使用状態の説明図である。
【図６】図１の塗布容器で塗布する段階を示す使用状態の説明図である。
【発明を実施するための最良の形態】
【００１８】
図１から図６は、本発明の第１実施形態に係る塗布容器を示している。この塗布容器は、容器体２と、塗布具１０と、キャップ５０とで構成されている。容器体２、キャップ５０、及び塗布具１０のうちで塗布体４０以外の部分に関しては、例えば合成樹脂材で形成することができる。塗布体４０に関しては後述する。
【００１９】
容器体２は、圧搾可能な胴部４から肩部を介して口頸部６を起立している。図示例の容器体２はチューブ容器体として形成しているが、その構成は適宜変更することができる。
前記口頸部６の外面上部には回り止め用の第１縦リブｒ１が形成されており、またその外面下部には環状の係止凸部Ｐが周設されている。
前記口頸部６の内面上部には、一部（図示例では中央部）に開口部９を有する水平な仕切り板８が形成されている。図示例の仕切り板８は口頸部６の上端面よりやや下方に配置させているが、その構造は適宜変更することができる。
【００２０】
塗布具１０は、図１に示す如く、塗布具本体１２と、塗布体４０とで形成されている。
【００２１】
前記塗布具本体１２は、前記口頸部６の外面に嵌着（図示例では螺着）された装着筒部１４を有する。図示例では、装着筒部１４の内面上部に回り止め用の第２縦リブｒ２を形成するとともに、装着筒部１４の内面下端部に係合受部Ｒを周設している。そして前記第２縦リブｒ２を口頸部６の第１縦リブｒ１に係合させるとともに、前記係合受部Ｒの上面に口頸部６の係合凸部Ｐをかみ合わせている。さらに装着筒部１４の外面には第１ネジ部ｎ１を形成している。
前記装着筒部１４の上端からは、内向きフランジ１５を介して、塗布体４０を保持するための保持筒２６を起立している。
また保持筒２６の下部側から、リング状の係止板部１６を内方突出している。この係止板部１６は、保持筒２６に保持された塗布体４０が下方へ抜け落ちることを防止している。前記係止板部１６の中央部には、リング孔１８が開口されている。このリング孔１８は、前記開口部９と連通している。
図示例では、前記内向きフランジ１５を保持筒２６より内方へ延出して、この延出部分を係止板部１６としている。もっとも、その構造は適宜変更することができる。
前記係止板部１６の上面内周には、環状の圧接用リブ２０が周設されている。
この係止板部１６の下面からはシール筒部２２が垂下されている。このシール筒部２２を、前記口頸部６の上端部内面に液密に嵌合させている。
前記保持筒２６の上部は、上側に向かって次第に小径化する小内径部２８としている。この小内径部２８の上端部の内径は、塗布体４０の最大外径よりも僅かに小さい。これにより、保持筒内に収納された塗布体４０が外方へ抜け出すことを防止している。保持筒２６内へ塗布体４０を収納させるときには、塗布体４０の底部を保持筒２６内へ強制的に押し込むとよく、これにより、保持筒２６が外方に弾性的に拡開して、保持筒２６内に塗布体４０が収容される。
この小内径部２８の内面には、複数の縦溝３０が形成されている。これら縦溝３０は、図２に示す如く、相互に離して周方向全体に形成することが望ましい。
【００２２】
塗布体４０は、マッサージ具を兼ねるものであり、前記保持筒２６内に収納されている。塗布体４０は、前記保持筒２６の外面から上方へ膨出する凸状の頂部４４を有する。この頂部４４の外面は、マッサージ面を兼ねる塗布面Ａに形成されている。
なお、図示はしないが、保持筒内の縦溝３０に代えて或いは縦溝３０とともに、前記布体４０の表面のうちで前記保持筒２６の内面と向かい合う箇所に、内容液の流路確保用の複数のリブ又は溝部を縦方向に形成してもよい。
本実施形態の塗布体４０は、図１に示す如く、ボール体の下部を切断した截底球体の形状に形成している。すなわち、塗布体４０は平坦底面Ｓを有する。この平坦底面Ｓは、前記圧接用リブ２０の上に当接することにより、リング孔１８を液密に閉塞している。
前記平坦底面Ｓは、前記仕切り板８の上面全体を覆う大きさに形成されている。また塗布体４０の外周面と保持筒２６の内面との間には、図２に示す如く、僅かな隙間Ｇがある。
前記塗布体４０は、塗布容器全体を、従来既知の方法で冷却することで、塗布体４０を人体に接触させたときにひんやりした冷気を感じさせることが可能に形成する。家庭で用いるときには、体温よりも十分に低い常温の環境（好ましくは冷房の効いた室内又は通風の良い場所など）におけば、或る程度のひんやり感が得られる。さらに冷却する必要があるときには、塗布容器を例えば冷蔵庫の中におくとよい。
こうした機能を実現するためには、塗布体４０は、金属やセラミックスなどの蓄熱素材で形成する。近年では、さまざまな用途のために高性能の蓄熱材料が開発されているが、本発明では、身体に触れたときに利用者が心地よい冷気を有する程度の蓄熱性能があれば足りる。鉄やステンレス鋼などの金属は、熱伝導率が高いため、低温で冷やされた後に人体と接触すると、蓄えられた冷熱が速やかに人体に移動し、それにより、利用者は心地よい冷気を感じることになる。金属やセラミックスに限らず、これと同等の性質を有する材料であれば、塗布体の素材となり得る。
また熱伝導率が同程度であれば、塗布体４０の熱容量が大きいほどに冷気を感じることができる時間が長くなる。従って必要な放熱時間が得られるように熱容量を設定するとよい。
以上の説明では、塗布体との接触によるひんやり感（接触冷感）を得るための使い方及び作用を説明したが、塗布体を温めると、同じ仕組みにより、接触による温かみを与えることができる。塗布体を温める方法としては、例えば暖房器具の近くにおけばよい。
【００２３】
キャップ５０は、前記装着筒部１４の外面に嵌合させたキャップ周壁５２を有し、このキャップ周壁５２の上面にキャップ頂壁５４を張設させている。好適な図示例では、キャップ周壁５２の内面に、装着筒部１４の第１ネジ部ｎ１と螺合可能な第２ネジ部ｎ２を形成している。
また前記キャップ頂壁５４の下面には塗布体４０押下げ用の押圧部５６を付設している。この押圧部５６は、前記キャップ周壁５２を装着筒部１４へ螺合させたときに、押圧部５６が塗布体４０を係止板部１６に押し付け、リング孔１８を閉鎖するように設けている。図示の押圧部５６は、環状のリブに形成されている。もっとも、その構造は適宜変更することができる。
【００２４】
前記構成において、図１の状態では、前述の通り、キャップ５０の押圧部５６が塗布体４０を係止板部１６に押し付けているため、液洩れを生ずることはない。この状態で、塗布容器を前述の常温環境に置いておくことで、塗布体４０に冷熱を蓄えることができる。
図１の状態から、キャップ５０を取り外して、塗布体４０の頂部４４を利用者の皮膚に当てると、心地よい冷感が得られる。
前記塗布体４０の頂部４４の利用者の皮膚に当てたまま、図４に示す如く、胴部４を圧搾すると、塗布体４０の平坦底面Ａが係止板部１６の圧接用リブ２０から離れて、リング孔１８が開く。この状態で、容器体２内の内容液が開口部９、リング孔１８、保持筒２６の縦溝３０を通って塗布面Ａ側へ供給される（図５参照）。従って塗布面Ａに付着した内用液を利用して塗布作業を行うことができる。
図６に示す如く、塗布体４０を被塗布面Ｔである皮膚に強く圧接すると、塗布体４０の平坦底面Ｓが圧接用リブ２０に圧接されてリング孔１８が閉塞され、容器体２側からの内容液の供給が停止される。この状態で塗布体４０を圧接したまま皮膚の上にスライドさせると、平坦底面Ａが係止板部１６に着座しているため、塗布体４０が転動せずに、皮膚に擦り付けられる。これにより、皮膚との摩擦抵抗が増大し、よりしっかりとした刺激が得られる。
【符号の説明】
【００２５】
２…容器体  ４…胴部  ６…口頸部  ８…仕切り板  ９…開口部
１０…塗布具  １２…塗布具本体  １４…装着筒部
１５…内向きフランジ  １６…係止板部
１８…リング孔  ２０…圧接用リブ  ２２…シール筒部  
２６…保持筒  ２８…小内径部  ３０…縦溝
４０…塗布体  ４２…底部  ４４…頂部
５０…キャップ  ５２…キャップ周壁  ５４…キャップ頂壁  ５６…押圧部
Ａ…塗布面  Ｇ…隙間
ｒ１…第１縦リブ  ｒ２…第２縦リブ  ｎ１…第１ネジ部  ｎ２…第２ネジ部  
Ｐ…係合凸部  Ｒ…係合受部  Ｓ…平坦底面
【図１】
2020032128.tif 000003
【図２】
2020032128.tif 000004
【図３】
2020032128.tif 000005
【図４】
2020032128.tif 000006
【図５】
2020032128.tif 000007
【図６】
2020032128.tif 000008